(57)【特許請求の範囲】
【請求項１】
電池を収納する電池室と、前記電池室を開閉する蓋体とを有し、
前記蓋体は、
前記蓋体のベースである第１の部材と、
前記第１の部材の内側に配置され、前記電池室に収納された電池の電極に接触する接触部材が取り付けられた第２の部材と、
前記接触部材を前記電池の電極に接触させた状態で、前記蓋体を閉じる動作に連動して、前記第２の部材を前記第１の部材に対して変位するように駆動する駆動機構とを有することを特徴とする電子機器。
【請求項２】
電池を収納する電池室と、前記電池室を開閉する蓋体とを有し、
前記蓋体は、
前記蓋体のベースである第1の部材と、
前記第1の部材の内側に配置され、前記電池室に収納された電池の電極に接触する接触部材が取り付けられた第２の部材と、
前記蓋体を閉じた状態にロックするロック機構と、
前記接触部材を前記電池の電極に接触させた状態で、前記ロック機構の動作に連動して、前記第２の部材を前記第１の部材に対して変位するように駆動する駆動機構とを有することを特徴とする電子機器。
【請求項３】
前記駆動機構は、前記第２の部材を前記第１の部材に対してスライド駆動することを特徴とする請求項１又は２に記載の電子機器。
【請求項４】
前記第２の部材の変位量は、前記第２の部材の変位方向における前記電極の大きさよりも小さいことを特徴とする請求項１又は２に記載の電子機器。
【発明の詳細な説明】
【技術分野】
【０００１】
電池を収納する電池室が設けられたカメラ等の電子機器に関するものである。
【背景技術】
【０００２】
電池端子には酸化皮膜が形成されたり、油等の異物が付着することがあり、これが原因となって、導通不良の原因となることが知られている。そこで、これらの異物を除去するために、電池端子面をヤスリ等で擦ったりする必要がある。
【０００３】
しかし、上記の処理は、ユーザにとって負担となり、また面倒な処理である。そこで、電子機器内に電池を装填して電池蓋を閉じるという一連の動作の中で、電池端子面をヤスリで擦ることと同等の効果が得られるような電池収納構造とすることが必要となってくる。
【０００４】
したがって、従来では、電子機器の電池室内に設けられた接片のうち、電池端子と接触する接触部をピンのように鋭利にし、電池を電池室内に収納する際の電池を押す力の作用によって、接触部と電池端子面が擦れるようにしている。このような構成は、例えば、高い電圧を必要とする電子機器において見られる。また、電池を回転することにより電池電極に付着した酸化膜を除去する構成もある（例えば、特許文献１参照）。
【特許文献１】実開平６−４４０１６号公報（段落番号０００８）
【発明の開示】
【発明が解決しようとする課題】
【０００５】
近年、電子機器のハイスペック化に伴い、電力の消費量が増加する傾向にあるが、電子機器においては、電力の消費量が増加しても、動作時間を減らすことは難しい。
【０００６】
特に、デジタルカメラでは、一時的に高い電圧を必要とするにもかかわらず、単３形の電池を電源とした機種が多く存在している。このように単３形の電池を用いた場合には、電子機器での電圧の低下を招く導通不良を防ぐことや、接触抵抗を下げることが課題となっている。
【０００７】
しかし、従来の接触部の形状では、電池挿入時の力の作用だけでは、摩擦力の作用によって電池端子を擦れずに装填されてしまい、電池端子面に生じた酸化皮膜や油汚れ等を良好には除去できないことがある。しかも、電池が接片に接触した際に、電池挿入方向に対して傾いて電池室の壁面に当接してしまい、電池端子と電子機器の接片との接触圧が低下して、接触抵抗を増やしてしまうなどの問題点がある。
【０００８】
そこで、本発明の目的は、電池端子面に生じた酸化皮膜や汚れ等を容易に除去したり、電池端子面と電子機器の接片との接触抵抗を軽減したりすることができる電子機器を提供することにある。
【課題を解決するための手段】
【０００９】
上記課題を解決するために、本願発明の電子機器は、電池を収納する電池室と、前記電池室を開閉する蓋体とを有し、前記蓋体は、前記蓋体のベースである第１の部材と、前記第１の部材の内側に配置され、前記電池室に収納された電池の電極に接触する接触部材が取り付けられた第２の部材と、前記接触部材を前記電池の電極に接触させた状態で、前記蓋体を閉じる動作に連動して、前記第２の部材を前記第１の部材に対して変位するように駆動する駆動機構とを有することを特徴とする。
【発明の効果】
【００１０】
本発明によれば、接触部材を電池室に収容された電池の電極に接触させながら変位させることができるため、例えば、電極に付着した異物(酸化被膜、汚れなど)を取り除くことができる。
【発明を実施するための最良の形態】
【００１１】
以下、本発明の実施例について説明する。
【実施例】
【００１２】
図１０は、本発明の実施例である、デジタルカメラ（電子機器）の斜視図である。同図において、１０１はカメラ本体であり、このカメラ本体１０１の前面中央にはズーミングが可能なレンズ鏡筒１０２が設けられている。
【００１３】
カメラ本体１０１の中には、例えば、光学像を光電変換して画像データを生成する撮像素子(ＣＣＤ、ＣＭＯＳイメージセンサなど)、光学ローパスフィルタ及びカメラ全体の動作を司る制御回路（不図示）が配置されている。
【００１４】
カメラ本体１０１の上面には、レリーズボタン１０３が設けられており、このレリーズボタン１０３を半押しすると、撮影準備動作（焦点検出動作および測光動作）が開始され、全押しすると撮影動作（撮像素子で読み出された画像データの記録媒体への記録）が開始される。
【００１５】
カメラ本体１０１の前面には、ファインダ光学系のファインダ窓部１０４が設けられており、撮影者はファインダ光学系を介して被写体像を観察することができる。ファインダ窓部１０４の右側には、被写体の輝度を測光するための測光窓部１０５が設けられている。
【００１６】
測光結果は、カメラ本体１０１内の制御回路に送られ、制御回路で露出値（シャッタ速度、絞り値）が演算される。１０６は、被写体に照明光を照射するストロボ装置を構成する発光窓部である。
【００１７】
カメラ本体１０１の底面には、後述する電池室を開閉する電池蓋６が回転可能に取り付けられている。
【００１８】
図１（Ａ）は、本実施例のカメラ電池室の近傍を示した図であって、図１（Ｂ）は、電池室内に設けられた電池接片を示している。また、図２は電池を電池室内に収納したときの、電池および電池接片の接触状態を示した図であり、同図（Ａ）はｘ方向（カメラの厚み方向）から見た図であり、（Ｂ）はｙ方向(カメラの幅方向)から見た図である。なお、ｚ方向はカメラの高さ方向を示している。
【００１９】
図１及び図２を用いて電池室の構造について説明する。なお、電池室以外の構造については従来のカメラと同様の構造であるため説明を省略する。
【００２０】
１はカメラ本体１０１内に設けられた電池室であり、単３形電池２を収納可能とする。３は電池室１内に設けられた電池接片であり、電池室１内に収納された電池２の電極と接触する。
【００２１】
電池接片３は、図１（Ｂ）や図２に示すように１枚の弾性を有する金属板材を曲げ形成することによって形成されており、腕部３ａを有している。また、腕部３ａには、電池２の電極と接触する接触部３ｂが形成されている。接触部３ｂは、図２（Ｂ）に示すように、腕部３ａの側縁における一部をカメラ本体１の上面側に折り曲げることにより形成されており、この接触部３ｂの先端は、カメラの高さ方向視において半円状もしくは鋭利形状となっている。
【００２２】
ここで、腕部３ａの幅および厚みは、接触部３ｂを介して電池２の電極部に、十分な接触圧を与えることができるような寸法に設定されている。また、電池接片３のうち、腕部３ａが形成された面の反対側の面には、凸状の弾性部３ｃが形成されている。
【００２３】
図１(A)において、４は、電池蓋６に設けられた電池接片であり、電池室１内に収納された電池２のマイナス電極やプラス電極と接触する。ここで、電池室１内には、４つの電池２が収納されるようになっており、これらの電池２は、電池接片３、４によって直列接続されている。
【００２４】
次に、電池接片３を電池室１内に取り付ける方法について説明する。
【００２５】
まず、電池接片３をスライドさせながら電池室１に設けられた不図示の溝部に挿入して、電池室１に組み込む。ここで、電池室１には図示しない穴部が設けられており、この穴部に電池接片３の弾性部３ｃをはめ込む。このように弾性部３ｃを該穴部にはめ込むことにより、弾性部３ｃが該穴部内に固定され、電池接片３を電池室１内にガタなく取り付けることができる。
【００２６】
また、電池接片３に設けられたハンダ付け部８に、カメラ本体１０１内に配置された不図示のリード線を半田付けする。これにより、電池２の電力は、該リード線を介してカメラ本体１０１内に設けられた各種の電気部品に供給される。
【００２７】
次に、図３を用いて、電池蓋６の構造について説明する。外蓋１１にはロックレバー１２(駆動機構)が保持されており、このロックレバー１２は、外蓋１１に対してロックスプリング１３(駆動機構)の付勢方向(ロックレバー１２の長手方向)にのみ移動可能となっている。ロックレバー１２をスライドさせる事で、電池蓋６を開閉する事が可能になる。ロックレバー１２は、ロックスプリング１３で付勢されており、電池蓋６が閉じられたときに付勢力によりロックレバー１２はスライドして電池蓋６がロックされる。
【００２８】
外蓋１１には、内蓋１５(第２の部材)の端部に形成されたガイド突起部１６に係合する、ガイド溝部２２が形成されており、内蓋１５には、電池接片４が不図示のビスにより固定されている。
【００２９】
ベースプレート１４(第１の部材)は、その端部に形成された筒形状部１４ａの内側を通る、カメラ本体１０１の軸部に支持されている。さらに、ベースプレート１４には、第１のＬ字状溝部１９及び第２のＬ字状溝部２０が形成されており、これらのＬ字状溝部１９、２０にはそれぞれ、ロックレバー１２に形成された第１の突起部１７、第２の突起部１８が係合する。
【００３０】
また、ベースプレート１４の端部には、Ｌ字状溝部１９の長辺方向に沿って延びるガイド溝部２１が形成されており、このガイド溝部２１には、電池接片４に形成された図中下側に延びるガイド部５が係合する。
【００３１】
次に、図４から図７を用いて、電池蓋６を開状態から閉状態に駆動するときの動作について説明する。ここで、図４から図７は、電池蓋６を開位置から閉位置に回転させ、閉位置にロックするまでの挙動を示す図である。
【００３２】
まず、図４に示すように電池蓋６を軸Ｌ周りに回転させる。この時、外蓋１１、内蓋１５及び電池接片４は、一体となって回転する。電池蓋６が軸Ｌ周りの回転動作を終了した後の状態を図５に示す。図示していないが、図５の状態、つまり電池蓋６が軸Ｌ周りの回転動作を終了した状態では、内蓋１５に固定された電池接片４が電池の電極面に接触している。
【００３３】
次に、図６に示すように外蓋１１を、外蓋１１のガイド溝部２２に沿って矢印Ｘ方向に距離Δ１だけスライドさせる。なお、この時、内蓋１５はスライドしない。ここで、外蓋１１をスライドできるようにしているのは、電池蓋６を開けるときに十分な回転角度を確保するためである。すなわち、電池蓋６を開方向に回転したときに、外蓋１１を矢印Ｘ方向の逆方向にスライドさせないと、電池蓋６が電池室１にあたってしまい、十分な回転角度を得られない。
【００３４】
さらに、同様に、十分に外蓋１１がスライドしていないと電池蓋６のガタつきを防ぐための不図示の引っ掛け爪が、電池室１に備わっている時に、電池蓋６と該引っ掛け爪との引っかかり量を十分に得られないからである。さらにまた、内蓋１５がある移動量以上スライドしてしまうと、図９に示すように電池の＋端子から電池接片４がはずれてしまい、一度外れてしまうと電池蓋６を閉じることが出来なくなるからである。このときは電池接片４が電池の電極面に対して摺動はしない。
【００３５】
外蓋１１を矢印Ｘ方向に距離Δ１だけスライドさせると、ガイド溝部２２の長手方向の端面が、内蓋１５のガイド突起部１６に当接し、この状態から外蓋１１を矢印Ｘ方向に更に押し込むと、ベースプレート１４のガイド溝部２１に電池接片４のガイド部５がガイドされることにより、外蓋１１、内蓋１５及び電池接片４が一体となって矢印Ｘ方向にスライドする。
【００３６】
上述のように、軸Ｌ周りの回転動作が終了した時点で、電池接片４は電池の電極に接触しているため、この接触した状態から電池接片４が矢印Ｘ方向にスライドすることにより、電池接片４は、電池の電極面に対してある程度の付勢力をもった状態で摺動する事になる。これにより、電池の電極面に生じた酸化被膜や汚れ等を効率良く擦り取ることができ、電池の導通不良が発生するのを防止することができる。
【００３７】
電池接片４のガイド部５がガイド溝部２１の矢印Ｘ方向の端部に当接して、矢印Ｘ方向のスライド動作が終了すると、図７に示すように、ロックレバー１２が第１のＬ字状溝部１９及び第２のＬ字状溝部２０の短辺方向に沿って、矢印Ｙ方向に移動し、電池蓋６がロックされる。なお、後述の変形例と異なり、本実施例ではロックレバー１２を矢印Ｙ方向に移動させても、外蓋１１及び内蓋１５は移動しない。
【００３８】
上述の実施例の変形例を説明する。まず、第１及び第２の突起部１７、１８の高さ寸法を、ベースプレート１４の厚みよりも大きく設定し、これらの突起部１７、１８をそれぞれ、内蓋１５の背面側に形成された不図示の直進溝部に係合させる。これらの直進溝部は、ベースプレート１４に形成された第１のＬ字状溝部１９の長辺方向に沿って形成されている。
【００３９】
次に、本変形例の電池蓋６を開位置から閉位置に回転させ、閉位置にロックするまでの挙動を説明する。ただし、電池蓋６を閉位置まで回転させてから、電池蓋６の矢印Ｘ方向へのスライド動作が終了するまでの挙動は、上述の実施例とほぼ同様であるため説明を省略する。
【００４０】
図６に示す状態、つまり外蓋１１、内蓋１５及び電池接片４の矢印Ｘ方向へのスライド動作が終了した状態において、ロックレバー１２の第１及び第２の突起部１７、１８はそれぞれ、第１及び第２のＬ字状溝部１９、２０における長辺部分と短辺部分とが交わる部分に位置している。
【００４１】
この状態において、ロックスプリング１３から付勢力を受けたロックレバー１２は、第１及び第２のＬ字状溝部１９、２０の短辺方向に沿って、距離Δ２だけ矢印Ｙ方向に移動する。この時、ロックレバー１２の第１及び第２の突起部１７、１８はそれぞれ、内蓋１５の第１のＬ字状溝部１９の長辺方向に沿って延びる各直進溝部に係合しているため、内蓋１５は、ロックレバー１２と一体となって矢印Ｙ方向に移動する。
次に、図８を用いて矢印Ｙ方向移動する内蓋１５の挙動について詳細に説明する。
【００４２】
図８において、実線は、内蓋１５が矢印Ｙ方向にスライドする前の状態を示し、破線は、内蓋１５が矢印Ｙ方向にスライドした後の状態を示している。
【００４３】
電池接片４は、内蓋１５にビス止められるとともに、電池室１に収容された電池２の電極に接触しているので、内蓋１５のスライド動作に伴って、電池２の電極に摺動しながら距離Δ２だけ矢印Ｙ方向に移動する。このように、ロックレバー１２を矢印Ｙ方向にスライドさせることにより、電池２の電極を電池接片４によって擦ることができるため、電極に付着した異物(酸化被膜、汚れ)を除去することができる。
【００４４】
ここで、矢印Ｙ方向への電池接片４の変位量である距離Δ２は、電池２の電極の矢印Ｙ方向の寸法よりも、小さくなるように設定されている。したがって、ロックレバー１２を矢印Ｙ方向にスライドさせても、電極に対する電池接片４の接触が絶たれることはない。
【００４５】
なお、上述の実施例及び変形例では、内蓋１５をスライドさせたが、例えば、内蓋１５を回転させることにより、電池接片４に電極を擦らせるようにしてもよい。
【００４６】
本発明は、デジタルカメラに限定されるものではなく、銀塩カメラ、リモコン装置、録音装置などの様々な電子機器に適用することができる。
【図面の簡単な説明】
【００４７】
【図１】本実施例のデジタルカメラのうち、主に電池室近傍の構造を示した図。
【図２】本実施例において、電池挿入時における電池および電池接片の接触状態を示した図
【図３】本発明の実施例であるデジタルカメラに回転可能に支持された電池蓋の分解斜視図。
【図４】実施例における電池蓋の挙動を示す図。
【図５】実施例における電池蓋の挙動を示す図。
【図６】実施例における電池蓋の挙動を示す図。
【図７】実施例における電池蓋の挙動を示す図。
【図８】スライド移動する内蓋の動作説明図。
【図９】実施例における電池蓋の電池接片が、電池の＋端子との接触が絶たれた時の状態を示した図。
【図１０】実施例のカメラの外観斜視図。
【符号の説明】
【００４８】
１  電池室
１ａ  穴部
２  単３形電池
３  電池接片
３ａ  電池接片の腕部
３ｂ  電池接片の接触部
４  電池蓋の電池接片
６  電池蓋
８  ハンダ付け部
１１  外蓋
１２  ロックレバー
１３  ロックスプリング
１４  ベースプレート
１５  内蓋
２２  ガイド溝部
【図２】
0004651077.tif 000002
【図３】
0004651077.tif 000003
【図８】
0004651077.tif 000004
【図１０】
0004651077.tif 000005
【図１】
0004651077.tif 000006
【図４】
0004651077.tif 000007
【図５】
0004651077.tif 000008
【図６】
0004651077.tif 000009
【図７】
0004651077.tif 000010
【図９】
0004651077.tif 000011